(57)【要約】【課題】患者が装着したままでベッドに横たわることができる使用感の良い携帯型点滴装置を提供する。【解決手段】患者Ｈの左肩に覆い被せて装着する装着体２と、装着体２を患者Ｈの体に固定して装着状態を保持する固定バンドと、基端側が装着体２に取り付けられ、先端側に点滴袋Ｂａが支持される支持スタンド５とを備える。支持スタンド５は、基端側の棒状第１部材５１と先端側の棒状第２部材５２とからなっている。第２部材５２は、点滴袋Ｂａが患者Ｈの体よりも上方に位置するように患者Ｈの姿勢に応じて角度可変に第１部材５１に回動可能に連結されている。【選択図】図４
2011254897.tif 000002
【特許請求の範囲】
【請求項１】
患者の右肩及び左肩のいずれか一方に覆い被せて装着する装着体と、
該装着体を患者の体に固定して装着状態を保持する固定バンドと、
基端側が上記装着体に取り付けられ、先端側に点滴容器又は点滴袋が支持される支持スタンドとを備え、
該支持スタンドは、基端側の棒状第１部材と、先端側の棒状第２部材とからなり、
該第２部材は、上記点滴容器又は点滴袋が患者の体よりも上方に位置するように患者の姿勢に応じて角度可変に上記第１部材に回動可能に連結されていることを特徴とする携帯型点滴装置。
【請求項２】
請求項１に記載の携帯型点滴装置において、
上記装着体の内側面及び外側面のいずれか一方には、上記第１部材が長手方向に摺動可能に挿入される筒状部が形成され、
該筒状部及び第１部材のいずれか一方には、複数の係合孔が第１部材挿入方向に間隔をあけて形成され、
上記筒状部及び第１部材のいずれか他方には、上記各係合孔に係脱可能に係合する可撓性係合片が形成されていることを特徴とする携帯型点滴装置。
【請求項３】
請求項１又は２に記載の携帯型点滴装置において、
上記装着体が樹脂材からなることを特徴とする携帯型点滴装置。
【発明の詳細な説明】
【技術分野】
【０００１】
本発明は、点滴を受けている患者が点滴を受けながら点滴容器又は点滴袋を携帯して移動することが可能な携帯型点滴装置に関する。
【背景技術】
【０００２】
従来より、患者が点滴を受けている最中においても、点滴容器又は点滴袋を携帯しながら移動することを可能とする携帯型点滴装置が知られている。通常、点滴を受ける患者は、体調を崩して体力が低下している場合が多いので、上記携帯型点滴装置は、使用感を良くして使用中に患者が疲れ難いものが望まれる。
【０００３】
このことに対し、例えば特許文献１の携帯型点滴装置は、患者が上半身を前後左右に自由に曲げることができるように、患者の右肩及び左肩の少なくとも一方に覆い被せて装着する装着体を備えていて、該装着体を患者の体に固定して装着状態を保持するようになっている。そして、上記装着体上面には、点滴容器を吊す支持スタンドが立設されている。
【先行技術文献】
【特許文献】
【０００４】
【特許文献１】特開２００５−２４６０３７号公報（段落００１３欄、段落００１８欄、図２及び図１２）
【発明の概要】
【発明が解決しようとする課題】
【０００５】
ところで、特許文献１では、患者が携帯型点滴装置を装着したままベッドに横たわると、点滴容器が患者の体の高さ（穿刺された箇所）と略同じ高さとなってしまい、患者に対して点滴が適切に行われなくなってしまう。したがって、患者は、点滴容器等を携帯しながら移動した後でベッドに戻ると、携帯型点滴装置の支持スタンドから点滴容器等を取り外して壁や専用スタンドに掛け直すという煩わしい作業が必要となってしまう。
【０００６】
本発明は斯かる点に鑑みてなされたものであり、その目的とするところは、患者が装着したままでベッドに横たわることができる使用感の良い携帯型点滴装置を提供することにある。
【課題を解決するための手段】
【０００７】
上記の目的を達成するために、本発明は、携帯型点滴装置を装着したまま患者の姿勢に応じて点滴容器又は点滴袋の位置を変更できるように工夫したことを特徴とする。
【０００８】
すなわち、第１の発明では、患者の右肩及び左肩のいずれか一方に覆い被せて装着する装着体と、該装着体を患者の体に固定して装着状態を保持する固定バンドと、基端側が上記装着体に取り付けられ、先端側に点滴容器又は点滴袋が支持される支持スタンドとを備え、該支持スタンドは、基端側の棒状第１部材と、先端側の棒状第２部材とからなり、該第２部材は、上記点滴容器又は点滴袋が患者の体よりも上方に位置するように患者の姿勢に応じて角度可変に上記第１部材に回動可能に連結されていることを特徴とする。
【０００９】
第２の発明では、第１の発明において、上記装着体の内側面及び外側面のいずれか一方には、上記第１部材が長手方向に摺動可能に挿入される筒状部が形成され、該筒状部及び第１部材のいずれか一方には、複数の係合孔が第１部材挿入方向に間隔をあけて形成され、上記筒状部及び第１部材のいずれか他方には、上記各係合孔に係脱可能に係合する可撓性係合片が形成されていることを特徴とする。
【００１０】
第３の発明では、第１又は第２の発明において、上記装着体が樹脂材からなることを特徴とする。
【発明の効果】
【００１１】
第１の発明では、携帯型点滴装置を装着したままベッドに仰向けに横たわる際、第２部材を第１部材に対して略９０°となるように回動させることにより、点滴容器又は点滴袋が患者の体よりも上方に位置するようになるので、患者は、携帯型点滴装置から点滴容器及び点滴袋を取り外すことなく点滴が適切に行われる状態でベッドに横たわることができ、使用感の良い携帯型点滴装置とすることができる。
【００１２】
第２の発明では、装着体から支持体までの距離を複数段階に変更できるようになるので、患者の体格に合わせて、点滴容器又は点滴袋の位置を任意に調節することができる。
【００１３】
第３の発明では、装着した装着体が患者の肩の動きに合わせて適度に馴染み、金属製の如き圧迫感がないので、装着に際する患者の不自由さを極力抑えて使用感を良くすることができる。
【図面の簡単な説明】
【００１４】
【図１】実施形態１に係る携帯型点滴装置を患者に装着した使用例を示す図である。
【図２】実施形態１に係る携帯型点滴装置の斜視図である。
【図３】図３（ａ）は、図２のＡ−Ａ線断面図であり、図３（ｂ）は、図３（ａ）のＢ部を拡大した図である。
【図４】実施形態１に係る携帯型点滴装置を装着した患者がベッドに仰向けに横たわった状態を示す側面図である。
【図５】実施形態１に係る携帯型点滴装置を装着した患者がベッドに腰掛けた状態を示す側面図である。
【図６】点滴容器で患者に点滴をする場合における支持スタンド周りの拡大斜視図である。
【図７】図７（ａ）は、実施形態２における図３相当図であり、図７（ｂ）は、図７（ａ）のＣ部を拡大した図である。
【図８】図８（ａ）は、図７（ａ）のＤ矢視図であり、図８（ｂ）は、図８（ａ）のＥ−Ｅ線断面図である。
【図９】図９（ａ）は、実施形態３に係る図３相当図であり、図９（ｂ）は、図９（ａ）のＦ部を拡大した図である。
【発明を実施するための形態】
【００１５】
以下、本発明の実施形態を図面に基づいて詳細に説明する。尚、以下の好ましい実施形態の説明は、本質的に例示に過ぎない。
《発明の実施形態１》
図１は、実施形態１に係る携帯型点滴装置１を患者Ｈに装着した使用例を示す。該携帯型点滴装置１は、患者Ｈが穿刺された状態で点滴袋Ｂａを携帯して移動できるようになっていて、該点滴袋Ｂａは、ドリップチャンバーＤｃ、クレンメＣｌ及びチューブＣｈで上記患者Ｈに繋がっている。上記携帯型点滴装置１は、図２及び図３に示すように、患者Ｈの左肩Ｌｓに覆い被せて装着する装着体２と、該装着体２を患者Ｈの体に固定して装着状態を保持する固定バンド３と、基端側が上記装着体２に取り付けられ、先端側に点滴袋Ｂａが支持される棒状の支持スタンド５とを備えている。
【００１６】
尚、以下の説明では特に示さない限り、「上」及び「下」はそれぞれ図１の紙面上で示す携帯型点滴装置１の上側及び下側を意味し、「左」及び「右」は患者Ｈを基準にしたもので図１の紙面上で示す携帯型点滴装置１の左側及び右側を意味するものとする。
【００１７】
上記装着体２は、樹脂材で一体成形されていて、上下方向に断面略への字状に延びる側面部２１と、該側面部２１の前後両側縁から当該側面部２１の右側に略平行に突出する一対の前面部２２及び後面部２５とを備えている。
【００１８】
上記側面部２１の鉛直面２１ｅ内方には、図３に示すように、上記支持スタンド５の基端側が長手方向に摺動可能に挿入される角筒状部２３が上記鉛直面２１ｅの上側部分を構成要素として上面２１ｆに開口するように形成されていて、該角筒状部２３の上端寄りには、図１及び図３に示すように、角筒状部２３内に突出する可撓性係合片２１ａが略コ字状のスリット２１ｂに囲まれて形成されている。また、上記前面部２２及び後面部２５の右側端縁寄りの上方及び下方には、固定バンド３を装着体２に取り付けるための略鍵穴状取付孔２２ａがそれぞれ形成されている。さらに、上記装着体２の側面部２１内方には、図３に示すように、患者Ｈに装着した際に装着感が良くなるように発泡ウレタンからなるクッション材２４が貼着されている。
【００１９】
上記固定バンド３は、患者Ｈの胸周り及び腕周りに沿わせて上記装着体２を患者Ｈに固定するものであり、装着状態で上記患者Ｈの胸回り及び腕周りに密着するバンド部３２と、上記鍵穴状取付孔２２ａに係合する係合部３１とを備えていて、上記バンド部３２は、上記係合部３１との取付部分で長さ調節が可能となっている。患者Ｈの胸回りのバンド部３２には、図１に示すように、クリップ３３が取り付けられていて、上記固定バンド３を患者Ｈの胸周りに沿わせて長さ調節を行った後、バンド部３２の端部側をバンド部３２の中程に止めることができるようになっている。
【００２０】
上記支持スタンド５は、アルミニウム合金材を加工して形成したものであり、図２及び図３に示すように、角筒棒状をなす第１部材５１及び第２部材５２からなっている。
【００２１】
上記第１部材５１の基端側には、図３に示すように、矩形状の係合孔５１ａが対向する左右両側壁に挿入方向に間隔をあけて５つずつ形成されていて、該係合孔５１ａに上記係合片２１ａが係脱可能に係合するようになっている。また、上記第１部材５１の先端側は、左右両側壁が上方に向かって並設されていて、当該上方に向かって並設された左右両側壁に一対の貫通孔５１ｂが形成されている。
【００２２】
上記第２部材５２の左右方向の幅は上記第１部材５１の左右方向の幅より狭く形成されていて、基端側が上記第１部材５１の先端側の左右両側壁に入り込むようになっている。上記第２部材５２基端側の左右両側壁には、図３に示すように、上記第１部材５１の貫通孔５１ｂに対応する一対の貫通孔５２ｂがそれぞれに形成されていて、該貫通孔５２ｂ及び上記貫通孔５１ｂに金属ブッシュＢｕを挿入することにより、上記第２部材５２は、上記第１部材５１に回動可能に連結されるようになっている。また、上記第２部材５２の基端側には、左側に位置する第１角度調節ハンドル６と右側に位置する第２角度調節ハンドル７とが設けられている。上記第１角度調節ハンドル６は、第１把持部６１と該第１把持部６１に頭部が埋設されたインサートボルトＩｂとからなり、一方、上記第２角度調節ハンドル７は、第２把持部７１と該第２把持部７１に埋設されたインサートナットＩｎとからなり、上記インサートボルトＩｂの軸部を上記金属ブッシュＢｕにその一端側から挿入してインサートナットＩｎに螺合させ、第１部材５１及び第２部材５２を第１角度調節ハンドル６及び第２角度調節ハンドル７で挟み込み、上記第１角度調節ハンドル６及び第２角度調節ハンドル７を互いに緩めることで第１部材５１に対して第２部材５２が回動可能となり、互いに締め込むことで第１部材５１に対して第２部材５２が所定の角度で固定されるようになっている。
【００２３】
また、上記第２部材５２の先端側左側壁には、図３に示すように、矩形状の係合孔５２ａが形成されていて、上記第２部材５２の略中央には、図２に示すように、略矩形で環状をなす一対の樹脂製チューブ巻掛部材８が第２部材５２の長手方向に間隔を調節可能に上下方向に間隔をあけて取り付けられている。上記各チューブ巻掛部材８には、略Ｕ字状のフック部８１が前方及び後方に一対突設されていて、上側及び下側に位置する各フック部８１に順にチューブＣｈを巻き掛けることにより当該チューブＣｈを整理できるようになっている。
【００２４】
上記第２部材５２の先端寄りには、図２に示すように、略矩形で環状をなす樹脂製の容器吊下部９が設けられている。該容器吊下部９には、略Ｕ字状のフック部９１が左方に突設されていて、上述した点滴袋Ｂａではなく、図６に示すように、瓶タイプの点滴容器Ｖに点滴液が入れられている場合に当該点滴容器Ｖを該フック部９１に吊り下げれるようになっている。そして、２つの容器固定バンド９２をそれぞれ点滴容器Ｖの胴体周りに沿わせるとともに上側及び下側のチューブ巻掛部材８のフック部８１にそれぞれ引っ掛けることにより、フック部９１に吊り下げられた点滴容器Ｖは上記第２部材５２に固定されるようになっている。
【００２５】
上記第２部材５２の先端には、点滴袋Ｂａを支持する支持体４が取り付けられている。該支持体４は、樹脂材で一体成形されていて、図２に示すように、点滴袋Ｂａを支持する支持部４１と、該支持部４１下面に垂設され、上記第２部材５２の先端に上記支持体４を取り付けるための取付部４２とを備えている。
【００２６】
上記支持部４１は、前傾姿勢で取付部４２に支持されていて、点滴袋Ｂａを載置する板状底面４１ｃと、該板状底面４１ｃの左右両側縁から上方に湾曲しながら延びる一対の側壁部４１ｄと、上記板状底面４１ｃの後端縁中央部分から支持部４１の傾斜に沿って後方に突設された細板部４１ａとを備えている。上記側壁部４１ｄは、後方側よりも前方側の上端縁の方が互いに近づくように湾曲していて、その互いの上端縁を橋絡するように一対のゴムバンドＧｂが並設されている。また、上記細板部４１ａの突出端寄りには、貫通孔４１ｂが形成されていて、図４及び図５に示すように、上記点滴袋Ｂａを紐Ｒで支持体４に固定できるようになっている。また、上記貫通孔４１ｂは、支持体４を第２部材５２から取り外して図示しない壁等のフックに該支持体４を吊り掛けることが可能となっている。
【００２７】
上記取付部４２は角筒状をなしていて、上記支持スタンド５の上端に外嵌合するようになっている。上記取付部４２の左側壁には、図３に示すように、上記取付部４２内に突出する可撓性係合片４２ａが略コ字状のスリット４２ｂに囲まれて形成されていて、上記係合孔５２ａに係合することにより上記支持体４が第２部材５２に固定されるようになっている。
【００２８】
次に、上記のように構成された実施形態の携帯型点滴装置１の使用方法について説明する。
【００２９】
まず、ベッドＢｅで点滴を受けている患者Ｈに対して上記携帯型点滴装置１を用意し、図１に示すように、患者Ｈの左肩Ｌｓに上記装着体２を覆い被せて装着するとともに固定バンド３を患者Ｈの胸周りに沿わせてバンド部３２の長さ調節を行い、装着体２を患者Ｈに装着保持する。そして、上記固定バンド３のバンド部３２の端部側を、当該固定バンド３の胸周りに沿わせた中程にクリップ３３で固定する。上記装着した装着体２は樹脂材で形成されていて、患者Ｈの左肩Ｌｓの動きに合わせて適度に馴染み、金属製の如き圧迫感がないので、装着に際する患者Ｈの不自由さを極力抑えて使用感を良くすることができる。
【００３０】
次に、装着体２の角筒状部２３に対して第１部材５１を長手方向に摺動させるとともに係合片２１ａを第１部材５１に形成された複数の係合孔５１ａのいずれか１つに係合させ、上記支持体４の高さを患者Ｈの体格に合わせて変更する。したがって、上記装着体２から支持体４までの距離を複数段階に変更できるようになるので、患者Ｈの体格に合わせて、支持体４の位置を任意に調節することができる。
【００３１】
しかる後、点滴袋Ｂａを専用スタンド等から取り外して支持体４に載せ、紐Ｒで貫通孔４１ｂに止め、且つ、ゴムバンドＧｂで支持部４１に固定する。そして、移動する際に邪魔になるチューブＣｈの一部を上記各チューブ巻掛部材８のフック部８１に順に巻き掛ける。これにより、上記患者Ｈは点滴を受けながら点滴袋Ｂａを携帯して移動することができる。
【００３２】
次に、上記患者Ｈが点滴袋Ｂａを携帯して移動した後でベッドＢｅに仰向けに横たわる際、図４に示すように、第１角度調節ハンドル６及び第２角度調節ハンドル７を緩めて上記第２部材５２を第１部材５１に対して略９０°となるように回動させ、そして、第１角度調節ハンドル６及び第２角度調節ハンドル７を互いに締め込んで上記第２部材５２を第１部材５１に対して略９０°で固定して、患者Ｈは、上記携帯型点滴装置１を装着したままベッドＢｅに仰向けに横たわる。その際、上記点滴袋Ｂａが患者Ｈの体よりも上方に位置するようになるので、患者Ｈは、携帯型点滴装置１から点滴袋Ｂａを取り外すことなく点滴が適切に行われる状態でベッドＢｅに寝ることができ、使用感の良い携帯型点滴装置１とすることができる。
【００３３】
また、図５に示すように、ベッドＢｅの背上げされたマットレスＭに患者Ｈが携帯型点滴装置１を装着したままで座る際においても、上記第２部材５２を第１部材５１に対して略４５°となるように回動させることにより、点滴袋Ｂａが患者の体よりも上方に位置するとともに支持体４（点滴袋Ｂａ）のマットレスＭとの接触を防ぐことができ、この場合においても携帯型点滴装置１から点滴袋Ｂａを取り外すことなく点滴が適切に行われる。
《発明の実施形態２》
図７及び図８は、本発明の実施形態２に係る携帯型点滴装置１を示す。この実施形態２では、装着体２の角筒状部２３の位置と、支持体４の取付部４２、第１部材５１及び第２部材５２の形状とが実施形態１と異なっていて、それ他は実施形態１と同じであるので、以下、実施形態１と異なる部分を詳細に説明する。使用方法については、第１部材５１に対する第２部材５２の固定の仕方が異なる他は実施形態１と同様であるので、重複説明は避ける。
【００３４】
上記装着体２の側面部２１の鉛直面２１ｅ外方には、図７（ａ）に示すように、第１部材５１の基端側が長手方向に摺動可能に挿入される角筒状部２３ａが上記鉛直面２１ｅの下側部分を構成要素として形成されていて、該角筒状部２３ａに対応する上記側面部２１の略中央下寄りには、角筒状部２３ａ内に突出する可撓性係合片２１ｃが略コ字状のスリット２１ｄに囲まれて形成されている。
【００３５】
上記支持体４の取付部４２は、図７（ｂ）に示すように、上側に位置する摺動部４３と下側に位置する固定部４４とからなっている。
【００３６】
上記摺動部４３は、支持部４１の底面から下方に突設された断面略Ｌ字状の上側摺動部４３ａと該上側摺動部４３ａの下端に一体に繋がって水平方向に広がる略円盤状の下側摺動部４３ｂとを備えていて、該下側摺動部４３ｂの中央には、上下に貫通する貫通孔４３ｃが形成され、外周縁寄りには、下方に突出する突起４３ｄが１つ形成されている。
【００３７】
上記固定部４４は、上記下側摺動部４３ｂの下面に対応するように沿う略円盤状の上側固定部４４ａと、該上側固定部４４ａの下側に位置し、下方に開放する角筒状をなすとともに第２部材５２の上端を外嵌合する下側固定部４４ｂとを備え、該下側固定部４４ｂは、当該下側固定部４４ｂの上壁が上記上側固定部４４ａから所定の間隔をあけた位置において、下側固定部４４ｂの左側壁に沿って上方に延びる連結部４４ｃによって上記上側固定部４４ａに繋がっている。
【００３８】
上記上側固定部４４ａの略中央には、上記下側摺動部４３ｂの貫通孔４３ｃに対応する貫通孔４４ｄが形成されていて、上記上側固定部４４ａの外周縁寄り上面には、周縁に沿って複数の凹部４４ｅが形成されている。そして、上記貫通孔４３ｃ及び貫通孔４４ｄに挿入された金属ブッシュＢｕに上方からピンＰを挿通するとともに下端部をＣ型止輪Ｗで止めることにより、摺動部４３が固定部４４に対して回動できるようになっている。上記突起４３ｄは、上記複数の凹部４４ｅの１つに嵌合していて、上記摺動部４３に回動方向の力を加えると、凹部４４ｅの開口周縁と突起４３ｄとが摺接することにより、下側摺動部４３ｂ及び上側固定部４４ａが撓んで上記突起４３ｄが上記凹部４４ｅから外れ、そして摺動部４３を固定部４４に対して所定角度回転させると上記突起４３ｄが隣りの凹部４４ｅに嵌合するようになっている。このように、摺動部４３を固定部４４に対して回動させて隣りの凹部４４ｅに順に嵌合させることにより、支持部４１を所定の角度回転させた状態で位置決めできるようになっている。
【００３９】
上記下側固定部４４ｂの左側壁には、図７（ｂ）に示すように、上記下側固定部４４ｂ内に突出して上記第２部材５２の係合孔５２ａに係合する可撓性係合片４２ａが略コ字状のスリット４２ｂに囲まれて形成されている。また、上記下側固定部４４ｂの右側壁には、点滴容器Ｖを吊り下げるための略Ｕ字状をなすフック部９１が形成されている。
【００４０】
実施形態２の支持スタンド５は、実施形態１に比べて、第１部材５１が長手方向に短く、第２部材５２が長手方向に長く形成されている。
【００４１】
上記第１部材５１の基端側には、図７（ａ）に示すように、矩形状の係合孔５１ａが対向する左右両側壁に挿入方向に間隔をあけて３つずつ形成されている。また、上記第１部材５１先端側の外側壁は、図８（ａ）に示すように、略円盤形状をなしていて、その周縁寄りには、等間隔に７つの位置決め用孔５１ｃが形成されている。
【００４２】
上記第２部材５２の基端側左側壁には、貫通孔５２ｄが形成されていて、上記第２部材５２の基端側内方には、図８（ｂ）に示すように、先端部分が上記貫通孔５２ｄよりも外方に飛び出す係合突起Ｓｐ１を備えた板バネ部材Ｓｐが設けられている。該板バネ部材Ｓｐは、階段状をなしていて、板バネ部分を弾性変形させることにより、図８（ｂ）の仮想線に示すように、上記係合突起Ｓｐ１の先端が第２部材５２の左側壁から飛びでないように第２部材５２内方側に移動するようになっている。そして、第２部材５２を第１部材５１に対して回動させると、位置決め用孔５１ｃ周縁と係合突起Ｓｐ１の先端とが摺接することにより板バネ部材Ｓｐが弾性変形して上記係合突起Ｓｐ１が第２部材５２内方側に移動し、しかる後、隣りの位置決め用孔５１ｃに板バネ部材Ｓｐの係合突起Ｓｐ１が嵌合するようになっている。このように、第２部材５２を第１部材５１に対して回動させて隣りの位置決め用孔５１ｃに順に嵌合させることにより、第２部材５２を所定の角度回動させた状態で位置決めできるようになっている。
【００４３】
したがって、本発明の実施形態２では、実施形態１と同様の効果が得られるとともに、実施形態１では、第１角度調節ハンドル６及び第２角度調節ハンドル７の両方を操作しなければ角度調節ができなかったが、実施形態２では、板バネ部材Ｓｐの係合突起Ｓｐ１によって、第２部材５２を第１部材５１に対して所定の角度回動させるだけで、第２部材５２の位置が決まるようになり、患者Ｈ自身が片手で第２部材５２の角度調節を行うことができ、使い勝手のよい携帯型点滴装置１とすることができる。
《発明の実施形態３》
図９は、本発明の実施形態３に係る携帯型点滴装置１を示す。この実施形態３では、支持体４の取付部４２が実施形態１と異なっていて、その他は実施形態１と同じであるので、以下、実施形態１と異なる部分を詳細に説明する。また、使用方法については、第２部材５２に対して支持体４の角度を調節可能となった他は実施形態１と同様であるので、重複説明は避ける。
【００４４】
上記支持体４の取付部４２は、支持部４１の底面から平行に垂設された一対の板部４５を備え、これら板部４５には、貫通孔４５ａがそれぞれ形成されている。上記板部４５間には、上記第２部材５２の先端側に外嵌合する角筒状をなす回動支持部４６が挿入されている。該回動支持部４６の下端側右側壁には、点滴容器Ｖを吊り下げる略Ｕ字状のフック部９１が形成されていて、上記回動支持部４６の上端側左右両側壁には、上記貫通孔４５ａに対応する貫通孔４６ａが一対形成されている。そして、上記貫通孔４５ａ及び貫通孔４６ａに挿入された金属ブッシュＢｕに側方からピンＰを挿通するとともにピンＰ先端をＣ型止輪Ｗで止めることにより、上記板部４５が回動支持部４６に対して回動できるようになっている。
【００４５】
したがって、本発明の実施形態３では、実施形態１と同様の効果が得られるとともに、例えば、ベッドＢｅの頭側にヘッドボードがある場合において、第１部材５１に対して第２部材５２を回動させるだけでなく、第２部材５２に対して支持体４を回動させることにより、ヘッドボードと支持体４との接触を確実に避けることができ、使用感の良い携帯型点滴装置１とすることができる。
【００４６】
尚、本実施形態１〜３では、患者Ｈの左肩Ｌｓに携帯型点滴装置１を装着したが、右肩Ｒｓに装着してもよい。その際、上記装着体２から支持スタンド５を引き抜き、軸心を中心に１８０°回転させて、再び装着体２の角筒状部２３に支持スタンド５を挿入することにより、支持体４の向きを変更して携帯型点滴装置１を右肩Ｒｓへの装着に対応させることができる。また、実施形態２では、摺動部４３を固定部４４に対して１８０°回転させることにより、支持体４の方向を変更して携帯型点滴装置１を右肩Ｒｓへの装着に対応させることができる。
【００４７】
また、点滴容器Ｖを吊すフック部９１は、上述した位置に限らず、例えば、支持体４の支持部４１の底面から下方に突出するように設けてもよい。
【産業上の利用可能性】
【００４８】
本発明は、点滴を受けている患者が点滴を受けながら点滴セットを携帯して移動することが可能な携帯型点滴装置に適している。
【符号の説明】
【００４９】
１        携帯型点滴装置
２        装着体
３        固定バンド
５        支持スタンド
２１ａ、２１ｃ        係合片
２３、２３ａ        角筒状部
５１        第１部材
５２        第２部材
Ｈ        患者
Ｂａ        点滴袋
Ｖ        点滴容器
Ｌｓ        左肩
Ｒｓ        右肩
【図１】
2011254897.tif 000003
【図２】
2011254897.tif 000004
【図３】
2011254897.tif 000005
【図４】
2011254897.tif 000006
【図５】
2011254897.tif 000007
【図６】
2011254897.tif 000008
【図７】
2011254897.tif 000009
【図８】
2011254897.tif 000010
【図９】
2011254897.tif 000011